(57)【要約】【課題】シンプルなフォーマットで、可変長パケットを分割して固定長パケットを生成することが可能な復調回路と、復調回路を用いた復調方法と、復調回路を備える送信装置を提供する。【解決手段】送信装置が、放送波に重畳されて送信されたデータ長が可変長であるＴＬＶパケットをデータ長が固定長である分割ＴＬＶパケットに変換する際に、分割ＴＬＶパケットのヘッダ部に埋め込むパケットヘッダを含む先頭のデータに対してクロック信号のＬレベルとＨレベルとを切り替える速度を、先頭のデータ以降のデータに対して二倍の速度に設定する復調回路と、復調回路が復調した復調信号をケーブル放送向けにＱＡＭ変調する送信側バックエンド処理回路を備える。【選択図】図２
2020141256.tif 000002
【特許請求の範囲】
【請求項１】
放送波に重畳されて送信されたデータ長が可変長であるＴＬＶパケットを前記データ長が固定長である分割ＴＬＶパケットに変換する際に、前記分割ＴＬＶパケットのヘッダ部に埋め込むパケットヘッダを含む先頭のデータに対してクロック信号のＬレベルとＨレベルとを切り替える速度を前記先頭のデータ以降のデータに対して二倍の速度に設定する復調回路。
【請求項２】
前記分割ＴＬＶパケットが前記ＴＬＶパケットの先頭が含まれていることを示す先頭ＴＬＶ指示を含まない場合には分割ＴＬＶパケットの先頭から６バイトのデータに対してのみ前記クロック信号のＬレベルとＨレベルとを切り替える速度を前記先頭から６バイトのデータ以降のデータに対して二倍の速度とし、前記分割ＴＬＶパケットが前記先頭ＴＬＶ指示を含む場合には分割ＴＬＶパケットの先頭から８バイトのデータに対してのみ前記クロック信号のＬレベルとＨレベルとを切り替える速度を前記先頭から８バイトのデータ以降のデータに対して二倍の速度とする請求項１に記載した復調回路。
【請求項３】
放送波に重畳されて送信されたデータ長が可変長であるＴＬＶパケットを前記データ長が固定長である分割ＴＬＶパケットに変換する際に、前記分割ＴＬＶパケットのヘッダ部に埋め込むパケットヘッダを含む先頭のデータに対してクロック信号のＬレベルとＨレベルとを切り替える速度を前記先頭のデータ以降のデータに対して二倍の速度に設定する復調方法。
【請求項４】
前記分割ＴＬＶパケットが前記ＴＬＶパケットの先頭が含まれていることを示す先頭ＴＬＶ指示を含まない場合には分割ＴＬＶパケットの先頭から６バイトのデータに対してのみ前記クロック信号のＬレベルとＨレベルとを切り替える速度を前記先頭から６バイトのデータ以降のデータに対して二倍の速度とし、前記分割ＴＬＶパケットが前記先頭ＴＬＶ指示を含む場合には分割ＴＬＶパケットの先頭から８バイトのデータに対してのみ前記クロック信号のＬレベルとＨレベルとを切り替える速度を前記先頭から８バイトのデータ以降のデータに対して二倍の速度とする請求項３に記載した復調方法。
【請求項５】
放送波に重畳されて送信されたデータ長が可変長であるＴＬＶパケットを前記データ長が固定長である分割ＴＬＶパケットに変換する際に、前記分割ＴＬＶパケットのヘッダ部に埋め込むパケットヘッダを含む先頭のデータに対してクロック信号のＬレベルとＨレベルとを切り替える速度を前記先頭のデータ以降のデータに対して二倍の速度に設定する復調回路と、
前記復調回路が復調した復調信号をケーブル放送向けにＱＡＭ変調する送信側バックエンド処理回路と、を備える送信装置。
【請求項６】
前記復調回路は、前記分割ＴＬＶパケットが前記ＴＬＶパケットの先頭が含まれていることを示す先頭ＴＬＶ指示を含まない場合には分割ＴＬＶパケットの先頭から６バイトのデータに対してのみ前記クロック信号のＬレベルとＨレベルとを切り替える速度を前記６バイトのデータ以降のデータに対して二倍の速度とし、前記分割ＴＬＶパケットが前記先頭ＴＬＶ指示を含む場合には分割ＴＬＶパケットの先頭から８バイトのデータに対してのみ前記クロック信号のＬレベルとＨレベルとを切り替える速度を前記８バイトのデータ以降のデータに対して二倍の速度とする請求項５に記載した送信装置。
【発明の詳細な説明】
【技術分野】
【０００１】
本開示に係る技術（本技術）は、放送波に重畳されて送信された可変長パケットを分割して固定長パケットを生成する復調回路と、復調回路を用いた復調方法と、復調回路を含む送信装置に関する。
【背景技術】
【０００２】
高度広帯域衛星デジタル放送の伝送方式(ＡＲＩＢ  ＳＴＤ−Ｂ４４)やＡＴＳＣ３．０等の新しい放送方式では、これまでの固定長パケット(例えば、ＴＳ)に加え、可変長パケット(例えば、ＴＬＶ，ＡＬＰ)を伝送することが可能となっている。可変長パケットを伝送するデジタル放送等に用いる信号処理の技術としては、例えば、特許文献１や特許文献２に開示されているように、復調処理を行う処理部とデマックス処理を行う処理部との間で、信号線を用いて可変長パケットを伝送するものがある。
【先行技術文献】
【特許文献】
【０００３】
【特許文献１】国際公開第２０１６／１９９６０３号
【特許文献２】国際公開第２０１６／１９９６０４号
【発明の概要】
【発明が解決しようとする課題】
【０００４】
しかしながら、可変長パケットを受け取れない従来のバックエンド処理回路（ＬＳＩ）と接続する場合には、可変長パケットを分割して、パケット長が固定された固定長パケットを生成する際に、同期バイト等を含むヘッダパケットを固定長パケットに挿入する必要がある。特許文献１や特許文献２に開示されている技術では、可変長パケットを分割して固定長パケットを生成する際に、クロック周波数の変換が必要となり、一定のクロック周波数で伝送しようとするとバッファリング用のメモリが増えるという問題点がある。
【０００５】
本技術は、上記問題点を鑑み、シンプルなフォーマットで、可変長パケットを分割して固定長パケットを生成することが可能な復調回路と、復調回路を用いた復調方法と、復調回路を含む送信装置を提供することを目的とする。
【課題を解決するための手段】
【０００６】
本技術の一態様に係る復調回路は、放送波に重畳されて送信されたデータ長が可変長であるＴＬＶパケットをデータ長が固定長である分割ＴＬＶパケットに変換する際に、分割ＴＬＶパケットのヘッダ部を埋め込む。これに加え、先頭のデータに対してクロック信号のＬレベルとＨレベルとを切り替える速度を、先頭のデータ以降のデータに対して二倍の速度に設定する。
【０００７】
本技術の一態様に係る復調方法は、放送波に重畳されて送信されたデータ長が可変長であるＴＬＶパケットをデータ長が固定長である分割ＴＬＶパケットに変換する際に、分割ＴＬＶパケットのヘッダ部を埋め込む方法である。これに加え、先頭のデータに対してクロック信号のＬレベルとＨレベルとを切り替える速度を、先頭のデータ以降のデータに対して二倍の速度に設定する方法である。
【０００８】
本技術の一態様に係る送信装置は、復調回路と、復調回路が復調した復調信号をケーブル放送向けにＱＡＭ変調する送信側バックエンド処理回路を備える。復調回路は、放送波に重畳されて送信されたデータ長が可変長であるＴＬＶパケットをデータ長が固定長である分割ＴＬＶパケットに変換する際に、分割ＴＬＶパケットのヘッダ部を埋め込む。これに加え、復調回路は、先頭のデータに対してクロック信号のＬレベルとＨレベルとを切り替える速度を、先頭のデータ以降のデータに対して二倍の速度に設定する。
【図面の簡単な説明】
【０００９】
【図１】放送システムの構成を示す図である。
【図２】送信装置と受信装置の構成を示すブロック図である。
【図３】信号線の説明図である。
【図４】信号線の説明図である。
【図５】信号線で授受する信号の説明図である。
【図６】ＴＬＶパケットのパケット種別の構成を示す図である。
【図７】ＴＬＶパケットの構成を示す図である。
【図８】ＴＬＶパケットから分割ＴＬＶパケットへ変換する処理の説明図である。
【図９】固定長パケット生成部が行う処理を示す図である。
【図１０】固定長パケット生成部が行う処理を示す図である。
【図１１】送信装置の動作を示すフローチャートである。
【図１２】パーソナルコンピュータの構成例を示す図である。
【発明を実施するための形態】
【００１０】
以下、図面を参照して、本技術の実施形態を説明する。図面の記載において、同一又は類似の部分には同一又は類似の符号を付し、重複する説明を省略する。各図面は模式的なものであり、現実のものとは異なる場合が含まれる。以下に示す実施形態は、本技術の技術的思想を具体化するための装置や方法を例示するものであって、本技術の技術的思想は、下記の実施形態に例示した装置や方法に特定するものでない。本技術の技術的思想は、特許請求の範囲に記載された技術的範囲内において、種々の変更を加えることが可能である。
【００１１】
（第１実施形態）
送信装置１は、図１に示すように、受信装置２と、ネットワーク３と共に、放送システム１０を構成する。
放送システム１０は、デジタルケーブルテレビ放送（ケーブル放送）に関わるシステムである。
【００１２】
送信装置１は、デジタルケーブルテレビ放送を行う放送局側の装置である。
受信装置２は、ネットワーク３を介して、送信装置１から送信された放送波を受信する。なお、ネットワーク３を介した送信は、放送されているコンテンツに係わる情報の送信とすることも可能である。
【００１３】
＜送信装置の構成＞
送信装置１は、図２に示すように、送信側チューナ１１と、復調回路１２と、送信側バックエンド処理回路１３を含む。なお、送信側チューナ１１と復調回路１２とを統合したＬＳＩにより、送信側チューナ１１と復調回路１２を構成してもよい。
送信側チューナ１１には、アンテナ４が接続される。アンテナ４は、衛星放送を受信するアンテナである。
復調回路１２は、送信側フロントエンド処理回路１２ａと、固定長パケット生成部１２ｂを含む。
【００１４】
図３に示すように、復調回路１２と送信側バックエンド処理回路１３は、複数本の信号線として、４本の信号線（シリアル伝送の場合）によって接続されている。４本の信号線は、シンク信号線と、バリッド信号線と、クロック信号線と、データ信号線である。
【００１５】
シンク信号線は、シンク（ＳＹＮＣ）信号を伝送する１ビットの信号線である。バリッド信号線は、バリッド（ＶＡＬＩＤ）信号を伝送する１ビットの信号線である。クロック信号線は、クロック（ＣＬＫ）信号を伝送する１ビットの信号線である。
データ信号線は、データ（ＤＡＴＡ）信号を伝送する１ビットの信号線である。なお、データ信号線は、１ビットから８ビットに対応しており、１本から８本のうちいずれかの信号線で構成してもよい。例えば、シリアル伝送の場合、データ信号線は１本の信号線で構成され、８ビットのパラレル伝送の場合、データ信号線は、８本の信号線で構成される。
以下に説明するように、本技術によれば、データ信号線の本数（クロック信号の１周期で伝送するビット数）に応じて、シンク信号、バリッド信号、クロック信号をそれぞれ制御することが可能である。
【００１６】
なお、図４に示すように、復調回路１２と送信側バックエンド処理回路１３は、複数本の信号線として、４本の信号線に加え、さらに、エラー信号線を備える構成としても良い。
エラー信号線は、エラー（ＥＲＲ）の発生を示すエラー情報を伝送する１ビットの信号線である。なお、図３及び図４に示した信号線は、一例であり、他の信号を伝送する信号線が、送信側フロントエンド処理回路１２ａと固定長パケット生成部１２ｂとの間に設けられていても勿論良い。
【００１７】
図５に、クロック信号、シンク信号、バリッド信号、およびデータ信号の基本的な出力波形を示す。基本的な出力波形と定義したのは、各信号の役割について説明するためである。また、各信号の波形は、後述するように、送信側バックエンド処理回路１３が要求する条件を満たすように、また、消費電力を低減させる等の目的に応じて、適切に変更される。
【００１８】
クロック信号は、固定長パケットを構成するデータの出力タイミングを表す信号である。クロック信号は、ＬレベルとＨレベルとを交互に繰り返す信号である。シンク信号は、固定長パケットに含まれるパケットの先頭のタイミングを表す。シンク信号は、例えば、パケットの先頭のタイミングだけ、一時的に、Ｌ（Ｌｏｗ）レベルからＨ（Ｈｉｇｈ）レベルになる。バリッド信号は、ＴＬＶにおいて、パケットが存在する区間（有効区間）を表す。バリッド信号は、例えば、有効区間で、Ｈレベルになり、有効以外の区間（無効区間）で、Ｌレベルになる。データ信号は、固定長パケットの信号である。パケットは、データ長（パケット長）が１８８バイトである。
なお、エラー信号線が設けられている場合、エラー信号も伝送される。エラー信号は、エラーが発生しているときにＨレベルになり、エラーが発生していないときにＬレベルになる。
復調回路１２から送信側バックエンド処理回路１３に供給されるデータ信号は、固定長パケットの全て、である。
【００１９】
送信側フロントエンド処理回路１２ａは、フレームを同期させるための信号であるフレーム同期信号の検出をトリガとして、フレーム毎に以下の処理を行う。以下、一例として、１つのフレームに、１２０のスロットが含まれている場合について説明する。
送信側フロントエンド処理回路１２ａは、ＡＰＳＫ（振幅位相変調）方式やＰＳＫ方式の主信号を復調する。これに加え、送信側フロントエンド処理回路１２ａは、π／２シフトＢＰＳＫ変調方式の伝送ＴＭＣＣ信号を復調する。伝送ＴＭＣＣ信号とは、ＴＭＣＣ（Ｔｒａｎｓｍｉｓｓｉｏｎ  ＆  Ｍｕｌｔｉｐｌｅｘｉｎｇ  Ｃｏｎｆｉｇｕｒａｔｉｏｎ  Ｃｏｎｔｒｏｌ）信号にＢＣＨ符号やＬＤＰＣ符号が付加された信号である。なお、各フレームのＴＭＣＣ信号には、フレームを構成する各スロットに関するＴＭＣＣ情報が含まれている。さらに、送信側フロントエンド処理回路１２ａは、ＴＭＣＣ信号に対して、ＢＣＨ符号を復合する外符号誤り検出訂正処理及びＬＤＰＣ符号を復合する内符号誤り検出訂正処理を施すことによって、ＴＭＣＣ情報を得る。また、送信側フロントエンド処理回路１２ａは、ＴＭＣＣ情報に含まれている、対象フレームの各スロットが含む主信号の復調に必要な情報に基づいて、対象フレームの各スロットが含む主信号を復調する。なお、主信号の復調に必要な情報とは、例えば、各スロットのキャリア変調方式を示すパラメータや、ＬＤＰＣ符号の符号化率を示すパラメータである。さらに、送信側フロントエンド処理回路１２ａは、スロットの主信号に対してデインタリーブ処理を施す。
【００２０】
送信側フロントエンド処理回路１２ａは、誤り訂正符号としてＢＣＫ符号やＬＤＰＣ符号を用いた誤り訂正方式により、送信側フロントエンド処理回路１２ａから入力を受けた復調信号の誤り訂正を行う。また、送信側フロントエンド処理回路１２ａは、誤り訂正を行うことで得られたＴＬＶパケット（複数のＴＬＶパケット）を、固定長パケット生成部１２ｂに出力する。
【００２１】
パケット種別の領域は、ＴＬＶパケットに格納するパケットの種別を識別するために使用する領域として割り当てられている（図６を参照）。
データ長の領域は、図７に示すように、データ長の領域よりも後に続くデータビット数が書き込まれる領域である。データの領域（データ領域）は、８×Ｎビットであり、可変長の領域であるとともに、データが書き込まれる領域である。
【００２２】
固定長パケット生成部１２ｂは、ＪＣＴＥＡ  ＳＴＤ−００２−６．１(複数搬送波方式)の分割ＴＬＶを例にすると、図８に示すように、受信したＴＬＶパケットを分割ＴＬＶパケットに変換する処理を実行する。固定長パケット生成部１２ｂが受信したＴＬＶパケットは、可変長なＴＬＶパケットの集合である。そして、固定長パケット生成部１２ｂは、集合した可変長なＴＬＶパケットを、固定長の分割ＴＬＶパケットに変換する。図８には、一例として、二つのＴＬＶパケット（ＴＬＶパケット１、ＴＬＶパケット２）を、三つの分割ＴＬＶパケット（分割ＴＬＶパケット１、分割ＴＬＶパケット２、分割ＴＬＶパケット３）に変換する場合を示す。
【００２３】
分割ＴＬＶパケットは、１８８バイトの固定長のパケットである。
また、分割ＴＬＶパケットは、図８に示すように、同期バイトと、トランスポートエラーインジケータと、ＴＬＶパケット開始インジケータと、ＰＩＤと、ペイロードから構成されている。ペイロードには、先頭ＴＬＶ指示が含まれる場合がある。
同期バイトは、例えば、「０ｘ４７」と定義される。
トランスポートエラーインジケータは、分割ＴＬＶパケット内のビットエラーの有無を示すフラグである。例えば、トランスポートエラーインジケータが「１」であるとき、少なくとも１ビットの訂正不可能なエラーが、分割ＴＬＶパケットに存在することを示す。
【００２４】
また、ＴＬＶパケット開始インジケータが「１」であるときは、分割ＴＬＶパケットのペイロード内にＴＬＶパケットの先頭が含まれていることを示す。例えば、分割ＴＬＶパケット２は、ＴＬＶパケット１しか含まず、ＴＬＶパケット１の先頭も含まれていないため、分割ＴＬＶパケット２のＴＬＶパケット開始インジケータは「０」とされる。また、例えば、分割ＴＬＶパケット３は、ＴＬＶパケット１とＴＬＶパケット２を含み、ＴＬＶパケット２の先頭を含むため、分割ＴＬＶパケット３のＴＬＶパケット開始インジケータは、「１」とされる。
ＰＩＤは、ペイロードのデータがＴＬＶデータであることを識別するために使用される領域である。
先頭ＴＬＶ指示は、ＴＬＶパケット開始インジケータが「１」のときに用いるペイロードの先頭１バイトである。先頭ＴＬＶ指示の値により、ペイロードの何バイト目にＴＬＶパケットの先頭位置があるかが示される。これにより、受信側では、分割ＴＬＶパケットのペイロード内に含まれるＴＬＶパケットの先頭位置を検知することが可能となる。ＴＬＶパケット開始インジケータが「０」のときには、先頭ＴＬＶ指示は、ペイロードに挿入されない。
【００２５】
固定長パケット生成部１２ｂが、データ長が可変長であるＴＬＶパケットをデータ長が固定長である分割ＴＬＶパケットに変換する際には、図９及び図１０に示すように、分割ＴＬＶパケットのヘッダ部に、図８で示した同期バイト、トランスポートエラーインジケータ、ＴＬＶパケット開始インジケータ、‘０’、ＰＩＤ，先頭ＴＬＶ指示を含んだ３バイト又は４バイトの情報を埋め込む。なお、図９及び図１０には、一例として、ＴＬＶパケットをデータ長が１８８バイトの分割ＴＬＶパケットに変換するフォーマットとして、複数搬送波方式を用いた場合について説明する。
ここで、変換する分割ＴＬＶパケットが先頭ＴＬＶ指示を含まない場合には、図９に示すように、先頭から３バイトのデータを、分割ＴＬＶパケットのヘッダ部に、パケットヘッダとして埋め込む。これに加え、パケットヘッダを含む先頭の６バイトのデータに対し、クロック信号のＬレベルとＨレベルとを切り替える速度を、先頭の６バイトのデータ以降のデータに対して二倍の速度に設定する。すなわち、受信したＴＬＶパケットが先頭ＴＬＶ指示を含まない場合には、分割ＴＬＶパケットの先頭から６バイトのデータに対してのみ、クロック信号のＬレベルとＨレベルとを切り替える速度を、先頭の６バイトのデータ以降のデータに対して二倍の速度とする。
一方、変換する分割ＴＬＶパケットが先頭ＴＬＶ指示を含む場合には、図１０に示すように、先頭から４バイトのデータを、分割ＴＬＶパケットのヘッダ部に、パケットヘッダとして埋め込む。これに加え、パケットヘッダを含む先頭の８バイトのデータに対し、クロック信号のＬレベルとＨレベルとを切り替える速度を、先頭の８バイトのデータ以降のデータに対して二倍の速度に設定する。すなわち、受信したＴＬＶパケットが先頭ＴＬＶ指示を含む場合には、分割ＴＬＶパケットの先頭から８バイトのデータに対してのみ、クロック信号のＬレベルとＨレベルとを切り替える速度を、先頭の８バイトのデータ以降のデータに対して二倍の速度とする。
【００２６】
また、固定長パケット生成部１２ｂは、分割ＴＬＶパケットの先頭から６バイト又は８バイトのデータに対してのみ、クロック信号のＬレベルとＨレベルとを切り替える速度を、先頭から６バイト又は８バイトのデータ以降のデータに対して二倍の速度に設定する。
【００２７】
送信側バックエンド処理回路１３は、復調回路１２から供給された放送波をデジタルケーブルテレビ放送の放送波に変換する。そして、変換した放送波（デジタル放送波）を、ケーブル（ケーブルテレビ伝送路）を介して受信装置２へ送信する。以下、一例として、送信装置１から受信装置２へ送信するデジタル放送波を、２５６ＱＡＭ変調方式で変調した２つの搬送波と、６４ＱＡＭ変調方式で変調した１つの搬送波を含んで分割伝送する場合について説明する。
【００２８】
送信装置１は、主信号の送信に必要な伝送容量に応じた変調方式として、６４ＱＡＭ変調方式と２５６ＱＡＭ変調方式を用いる。そして、送信装置１は、スロットを単位として主信号を生成する。このとき、送信装置１は、各スロットの主信号を、主信号のスロットについて選択した変調方式で変調する。したがって、送信装置１では、ＴＬＶパケットを分割ＴＬＶパケットに変換し、さらに、ケーブル変調をかけて、受信装置２にケーブルを介して送信する。
【００２９】
以上説明したように、送信装置１は、固定長パケット生成部１２ｂを含む復調回路１２を備える。固定長パケット生成部１２ｂは、データ長が可変長であるＴＬＶパケットをデータ長が固定長である分割ＴＬＶパケットに変換する際に、分割ＴＬＶパケットのヘッダ部にパケットヘッダを埋め込む。これに加え、パケットヘッダを含む先頭の３バイト又は４バイトのデータに対し、クロック信号のＬレベルとＨレベルとを切り替える速度を、先頭の３バイト又は４バイトのデータ以降のデータに対して二倍の速度に設定する。さらに、送信装置１は、復調回路１２が復調した復調信号を、ＪＣＴＥＡ  ＳＴＤ−００２−６．１(複数搬送波方式)等のデジタルケーブルテレビ放送の放送用にＱＡＭ変調する送信側バックエンド処理回路１３を備える。
また、上述したように、衛星放送は、ＭＭＴ・ＴＬＶ方式のデジタル放送波として放送される。このため、送信装置１は、ＭＭＴ・ＴＬＶ方式のデジタル放送波を、デジタルケーブルテレビ放送の放送波として、分割ＴＬＶパケットに変換して送信する。
【００３０】
＜受信装置の構成＞
受信装置２は、図２に示すように、受信側チューナ２１と、受信側フロントエンド処理回路２２と、受信側バックエンド処理回路２３を備える。
受信側チューナ２１は、送信装置１からケーブルを介して送信されてきたデジタル放送波（分割ＴＬＶパケット）を受信し、受信側フロントエンド処理回路２２に供給する。
【００３１】
受信側フロントエンド処理回路２２は、復調処理を扱うＬＳＩである。受信側バックエンド処理回路２３は、デマックス処理を扱うＬＳＩである。受信側フロントエンド処理回路２２と受信側バックエンド処理回路２３は、１つのＬＳＩで構成することも可能であり、また、異なるＬＳＩとして構成することも可能である。受信側フロントエンド処理回路２２と受信側バックエンド処理回路２３を異なるＬＳＩで構成する場合、受信側フロントエンド処理回路２２は、後段の回路である受信側バックエンド処理回路２３が処理することが可能とする必要がある。すなわち、受信側フロントエンド処理回路２２と受信側バックエンド処理回路２３を異なるＬＳＩで構成する場合では、受信側バックエンド処理回路２３が要求する条件を満たすように、データを出力する必要がある。
以上により、受信側フロントエンド処理回路２２は、受信側バックエンド処理回路２３が要求する条件を満たす形で復調したデータを供給する。なお、以降の説明では、一例として、受信側フロントエンド処理回路２２と受信側バックエンド処理回路２３とを、異なるＬＳＩとして構成した場合を説明する。
【００３２】
受信側フロントエンド処理回路２２は、受信側チューナ２１が供給した受信信号のＱＡＭ変調を復調する。さらに、受信側フロントエンド処理回路２２は、誤り訂正符号としてリードソロモン符号を用いた誤り訂正方式により、復調信号の誤り訂正を行う。さらに、受信側フロントエンド処理回路２２は、誤り訂正を行うことで得られた分割ＴＬＶパケット、又は変換したＴＬＶパケットを、受信側バックエンド処理回路２３に供給する。
以上説明したように、受信側フロントエンド処理回路２２は、分割ＴＬＶパケットを取得する。よって、受信側フロントエンド処理回路２２からは、分割ＴＬＶパケット、又は変換したＴＬＶパケットが受信側バックエンド処理回路２３に出力される。
【００３３】
受信側バックエンド処理回路２３は、例えば、ＳＯＣ（Ｓｙｓｔｅｍ−ｏｎ−ａ−ｃｈｉｐ）を用いて形成されている。受信側バックエンド処理回路２３が行う処理は、受信側フロントエンド処理回路２２が出力した分割ＴＬＶパケット、又は変換したＴＬＶパケットを、例えば、動画コンテンツを、映像部分、音声部分、字幕部分等に分ける処理（デマックス処理）である。
【００３４】
また、受信側バックエンド処理回路２３には、受信側フロントエンド処理回路２２が出力した出力信号（シンク信号、バリッド信号、データ信号、クロック信号）が供給される。そして、受信側バックエンド処理回路２３は、供給された信号に含まれるデータ、例えば、映像データや音声データを分離する。さらに、受信側バックエンド処理回路２３は、映像データを映像信号にデコードする処理や、音声データを音声信号にデコードする処理を行うことで、映像や音声の信号を生成し、ディスプレイ５に出力する。
【００３５】
＜動作＞
以下、図１から図１０を参照しつつ、図１１を用いて、送信装置１が行う動作について説明する。
図１１に示すように、送信装置１は、ステップＳ１にてフレーム同期信号を受信する度に、ステップＳ２からステップＳ５までの一連の処理を実行する。
ステップＳ２では、変換する分割ＴＬＶパケットが、先頭ＴＬＶ指示を含むか否かを判定する。ステップＳ２で、変換する分割ＴＬＶパケットが先頭ＴＬＶ指示を含むと判定すると、ステップＳ３の処理へ移行する。ステップＳ２で、変換する分割ＴＬＶパケットが先頭ＴＬＶ指示を含まないと判定すると、ステップＳ４の処理へ移行する。
【００３６】
ステップＳ３では、先頭から４バイトのデータを、分割ＴＬＶパケットのヘッダ部に、パケットヘッダとして埋め込む処理を行う。これに加え、分割ＴＬＶパケットの先頭から８バイトのデータに対してのみ、クロック信号のＬレベルとＨレベルとを切り替える速度を、先頭から８バイトのデータ以降のデータに対して二倍の速度とする処理を行う。
ステップＳ４では、先頭から３バイトのデータを、分割ＴＬＶパケットのヘッダ部に、パケットヘッダとして埋め込む処理を行う。これに加え、分割ＴＬＶパケットの先頭から６バイトのデータに対してのみ、クロック信号のＬレベルとＨレベルとを切り替える速度を、先頭から６バイトのデータ以降のデータに対して二倍の速度とする処理を行う。
ステップＳ５では、送信側バックエンド処理回路１３が、復調回路１２が復調した復調信号をケーブル放送向けにＱＡＭ変調した後に、受信装置２に出力する。
【００３７】
＜復調方法＞
第１実施形態の復調回路１２を用いて行う復調方法は、データ長が可変長であるＴＬＶパケットをデータ長が固定長である分割ＴＬＶパケットに変換する際に、分割ＴＬＶパケットのヘッダ部にパケットヘッダを埋め込む方法である。
また、復調回路１２を用いて行う復調方法では、パケットヘッダを含む先頭の６バイト又は８バイトのデータに対し、クロック信号のＬレベルとＨレベルとを切り替える速度を、先頭の６バイト又は８バイトのデータ以降のデータに対して二倍の速度に設定する。
【００３８】
ＴＬＶパケットを分割ＴＬＶパケットに変換する場合、従来では、分割ＴＬＶパケットの先頭にヘッダパケットを挿入する処理が必要となるため、固定長パケット生成部１２ｂにメモリを追加する必要がある。これに加え、メモリにおいてバッファリングを行う際に、クロック周波数を変換する処理が必要となる。このため、例えば、ヘッダパケットの長さが３バイトの固定長である場合には、データレートが、（１８８／１８５）×元のデータレートとなり、クロック周波数も同様に１８８／１８５倍となる。また、ヘッダパケットの長さが４バイトの固定長である場合には、データレートが、（１８８／１８４）×元のデータレートとなり、クロック周波数も同様に１８８／１８４倍となる。しかしながら、ヘッダパケットの長さが３バイトであるか４バイトであるかの比率は決まっていないため、クロック周波数を平滑化するためには、バッファサイズを大きく持つ必要がある。
これに対し、第１実施形態の構成であれば、クロック周波数の変換が不要となり、バッファリングを行うメモリを必要とせずに、可変長パケットを分割して固定長パケットを生成することが可能となる。したがって、固定長パケット生成部１２ｂにメモリを追加すること無く、データ長が可変長であるＴＬＶパケットを、データ長が１８８バイトの固定長である分割ＴＬＶパケットに変換することが可能となる。
【００３９】
したがって、第１実施形態の構成であれば、バッファリングを行うメモリを必要とせずに、可変長パケットを分割して固定長パケットを生成することが可能な、復調回路１２を提供することが可能となる。
また、第１実施形態の構成であれば、バッファリングを行うメモリを必要とせずに、可変長パケットを分割して固定長パケットを生成することが可能な復調方法を提供することが可能となる。
また、第１実施形態の構成であれば、バッファリングを行うメモリを必要とせずに、可変長パケットを分割して固定長パケットを生成することが可能な復調回路１２を含む送信装置１を提供することが可能となる。
【００４０】
＜変形例＞
第１実施形態では、三つの分割ＴＬＶパケットのそれぞれに対し、分割ＴＬＶパケットの先頭から３バイト又は４バイトのデータを、パケットヘッダを挿入する対象としたが、これに限定するものではない。すなわち、三つの分割ＴＬＶパケットのうち、少なくとも分割ＴＬＶパケット１及び分割ＴＬＶパケット２の一方のみに対し、先頭から３バイト又は４バイトのデータを、パケットヘッダを挿入する対象としてもよい。同様に、分割ＴＬＶパケット１、分割ＴＬＶパケット２、分割ＴＬＶパケット３のうち連続した４バイトのデータを、パケットヘッダを挿入する対象としてもよい。
第１実施形態では、分割ＴＬＶパケットの先頭から６バイト又は８バイトのデータに対してのみ、クロック信号のＬレベルとＨレベルとを切り替える速度（切替速度）を、先頭から６バイト又は８バイトのデータ以降のデータに対して二倍の速度に設定した。しかしながら、これに限定するものではない。すなわち、変換する分割ＴＬＶパケットが先頭ＴＬＶ指示を含まない場合に、先頭から６バイトよりも多くのデータに対して、切替速度を、その他のデータに対して二倍の速度に設定してもよい。この場合、分割ＴＬＶパケットの構成を、切替速度を二倍に設定したデータと、その他のデータの他に、切替速度を、その他のデータに対して半分の速度に設定するデータを含む構成とする。また、切替速度を、その他のデータに対して半分の速度に設定するデータの量は、６バイトを超えるデータと同じ量とする。
同様に、変換する分割ＴＬＶパケットが先頭ＴＬＶ指示を含む場合に、先頭から８バイトよりも多くのデータに対して、切替速度を、その他のデータに対して二倍の速度に設定してもよい。この場合、分割ＴＬＶパケットの構成を、切替速度を二倍に設定したデータと、その他のデータの他に、切替速度を、その他のデータに対して半分の速度に設定するデータを含む構成とする。また、切替速度を、その他のデータに対して半分の速度に設定するデータの量は、８バイトを超えるデータと同じ量とする。
【００４１】
＜本技術を適用したコンピュータの説明＞
ところで、上述した一連の処理は、ハードウェアにより実行させることも可能であるが、ソフトウェアにより実行させることも可能である。一連の処理をソフトウェアにより実行させる場合には、ソフトウェアを構成するプログラムが、専用のハードウェアに組み込まれているコンピュータ等に、記録媒体からインストールされる。又は、ソフトウェアを構成するプログラムが、各種のプログラムをインストールすることで、各種の機能を実行することが可能な、汎用のパーソナルコンピュータ等に、記録媒体からインストールしてもよい。
【００４２】
図１２に、汎用のパーソナルコンピュータの構成例を示す。汎用のパーソナルコンピュータは、ＣＰＵ（Ｃｅｎｔｒａｌ  Ｐｒｏｃｅｓｓｉｎｇ  Ｕｎｉｔ）１００を内蔵している。ＣＰＵ１００には、バス１０１を介して、入出力インターフェース１０２が接続されている。バス１０１には、ＲＯＭ（Ｒｅａｄ  Ｏｎｌｙ  Ｍｅｍｏｒｙ）１０３と、ＲＡＭ（Ｒａｎｄｏｍ  Ａｃｃｅｓｓ  Ｍｅｍｏｒｙ）１０４が接続されている。
【００４３】
入出力インターフェース１０２には、ユーザが操作コマンドを入力するキーボード、マウス等の入力デバイスを用いて形成された入力部１０５と、処理操作画面や処理結果の画像を表示デバイスに出力する出力部１０６が接続されている。これに加え、入出力インターフェース１０２には、プログラムや各種データを格納するハードディスクドライブ等よりなる記憶部１０７が接続されている。さらに、入出力インターフェース１０２には、ＬＡＮ（Ｌｏｃａｌ  Ａｒｅａ  Ｎｅｔｗｏｒｋ）アダプタ等よりなり、インターネットに代表されるネットワークを介した通信処理を実行する通信部１０８が接続されている。
また、入出力インターフェース１０２には、磁気ディスク（フレキシブルディスクを含む）、光ディスク（ＣＤ−ＲＯＭ（Ｃｏｍｐａｃｔ  Ｄｉｓｃ−Ｒｅａｄ  Ｏｎｌｙ  Ｍｅｍｏｒｙ)、ＤＶＤ（Ｄｉｇｉｔａｌ  Ｖｅｒｓａｔｉｌｅ  Ｄｉｓｃ）を含む）が接続されている。さらに、入出力インターフェース１０２には、光磁気ディスク（ＭＤ（Ｍｉｎｉ  Ｄｉｓｃ）を含む）、又は、半導体メモリ等のリムーバブルメディア１０９に対してデータを読み書きするドライブ１１０が接続されている。
【００４４】
ＣＰＵ１００は、ＲＯＭ１０３に記憶されているプログラムや、記憶部１０７にインストールされて記憶部１０７からＲＡＭ１０４にロードされたプログラムに従って、各種の処理を実行する。記憶部１０７にインストールされるプログラムは、磁気ディスク、光ディスク、光磁気ディスク、半導体メモリ等のリムーバブルメディア１０９等から読み出される。
また、ＲＡＭ１０４には、ＣＰＵ１００が各種の処理を実行する上において必要なデータ等も、適宜記憶される。
以上のように構成されるコンピュータでは、ＣＰＵ１００が、例えば、記憶部１０７に記憶されているプログラムを、入出力インターフェース１０２及びバス１０１を介して、ＲＡＭ１０４にロードして実行する。これにより、上述した一連の処理が行われる。
【００４５】
コンピュータ（ＣＰＵ１００）が実行するプログラムは、例えば、パッケージメディア等としてのリムーバブルメディア１０９に記録して提供することが可能である。また、プログラムは、ローカルエリアネットワーク、インターネット、デジタル衛星放送といった、有線又は無線の伝送媒体を介して、提供することが可能である。
コンピュータでは、プログラムは、リムーバブルメディア１０９をドライブ１１０に装着することにより、入出力インターフェース１０２を介して、記憶部１０７にインストールすることが可能である。また、プログラムは、有線、又は、無線の伝送媒体を介して通信部１０８で受信し、記憶部１０７にインストールすることが可能である。その他、プログラムは、予め、ＲＯＭ１０３や記憶部１０７にインストールしておくことが可能である。
【００４６】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
また、プログラムは、１のコンピュータ（プロセッサ）により処理されるものであっても良いし、複数のコンピュータによって分散処理されるものであっても良い。さらに、プログラムは、遠方のコンピュータに転送されて実行されるものであっても良い。
さらに、本明細書において、システムとは、複数の構成要素（装置、モジュール（部品）等）の集合を意味し、全ての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれもシステムである。
【００４７】
（その他の実施形態）
上記のように、本技術の実施形態を記載したが、この開示の一部をなす論述及び図面は本技術を限定するものであると理解すべきではない。この開示から当業者には様々な代替実施形態、実施例及び運用技術が明らかとなろう。その他、上記の実施形態において説明される各構成を任意に応用した構成等、本技術はここでは記載していない様々な実施形態等を含むことは勿論である。したがって、本技術の技術的範囲は上記の説明から妥当な特許請求の範囲に係る発明特定事項によってのみ定められるものである。
【００４８】
また、本開示の復調回路、復調方法、送信装置では、上記の実施形態等で説明した各構成要素を全て備える必要はなく、また逆に他の構成要素を備えていてもよい。なお、本明細書中に記載された効果はあくまで例示であって限定されるものでは無く、また他の効果があってもよい。例えば、本技術は、ネットワークを介して、１つの機能を複数の装置で分担、共同して処理するクラウドコンピューティングの構成をとることも可能である。
【００４９】
なお、本技術は、以下のような構成を取ることが可能である。
（１）
放送波に重畳されて送信されたデータ長が可変長であるＴＬＶパケットを前記データ長が固定長である分割ＴＬＶパケットに変換する際に、前記分割ＴＬＶパケットのヘッダ部に埋め込むパケットヘッダを含む先頭のデータに対してクロック信号のＬレベルとＨレベルとを切り替える速度を前記先頭のデータ以降のデータに対して二倍の速度に設定する復調回路。
（２）
前記分割ＴＬＶパケットが前記ＴＬＶパケットの先頭が含まれていることを示す先頭ＴＬＶ指示を含まない場合には分割ＴＬＶパケットの先頭から６バイトのデータに対してのみ前記クロック信号のＬレベルとＨレベルとを切り替える速度を前記先頭から６バイトのデータ以降のデータに対して二倍の速度とし、前記分割ＴＬＶパケットが前記先頭ＴＬＶ指示を含む場合には分割ＴＬＶパケットの先頭から８バイトのデータに対してのみ前記クロック信号のＬレベルとＨレベルとを切り替える速度を前記先頭から８バイトのデータ以降のデータに対して二倍の速度とする前記（１）に記載した復調回路。
（３）
放送波に重畳されて送信されたデータ長が可変長であるＴＬＶパケットを前記データ長が固定長である分割ＴＬＶパケットに変換する際に、前記分割ＴＬＶパケットのヘッダ部に埋め込むパケットヘッダを含む先頭のデータに対してクロック信号のＬレベルとＨレベルとを切り替える速度を前記先頭のデータ以降のデータに対して二倍の速度に設定する復調方法。
（４）
前記分割ＴＬＶパケットが前記ＴＬＶパケットの先頭が含まれていることを示す先頭ＴＬＶ指示を含まない場合には分割ＴＬＶパケットの先頭から６バイトのデータに対してのみ前記クロック信号のＬレベルとＨレベルとを切り替える速度を前記先頭から６バイトのデータ以降のデータに対して二倍の速度とし、前記分割ＴＬＶパケットが前記先頭ＴＬＶ指示を含む場合には分割ＴＬＶパケットの先頭から８バイトのデータに対してのみ前記クロック信号のＬレベルとＨレベルとを切り替える速度を前記先頭から８バイトのデータ以降のデータに対して二倍の速度とする前記（３）に記載した復調方法。
（５）
放送波に重畳されて送信されたデータ長が可変長であるＴＬＶパケットを前記データ長が固定長である分割ＴＬＶパケットに変換する際に、前記分割ＴＬＶパケットのヘッダ部に埋め込むパケットヘッダを含む先頭のデータに対してクロック信号のＬレベルとＨレベルとを切り替える速度を前記先頭のデータ以降のデータに対して二倍の速度に設定する復調回路と、
前記復調回路が復調した復調信号をケーブル放送向けにＱＡＭ変調する送信側バックエンド処理回路と、を備える送信装置。
（６）
前記復調回路は、前記分割ＴＬＶパケットが前記ＴＬＶパケットの先頭が含まれていることを示す先頭ＴＬＶ指示を含まない場合には分割ＴＬＶパケットの先頭から６バイトのデータに対してのみ前記クロック信号のＬレベルとＨレベルとを切り替える速度を前記６バイトのデータ以降のデータに対して二倍の速度とし、前記分割ＴＬＶパケットが前記先頭ＴＬＶ指示を含む場合には分割ＴＬＶパケットの先頭から８バイトのデータに対してのみ前記クロック信号のＬレベルとＨレベルとを切り替える速度を前記８バイトのデータ以降のデータに対して二倍の速度とする前記（５）に記載した送信装置。
【符号の説明】
【００５０】
１…送信装置、１１…送信側チューナ、１２…復調回路、１２ａ…送信側フロントエンド処理回路、１２ｂ…固定長パケット生成部、１３…送信側バックエンド処理回路、２…受信装置、２１…受信側チューナ、２２…受信側フロントエンド処理回路、２３…受信側バックエンド処理回路、３…ネットワーク、４…アンテナ、５…ディスプレイ、１０…放送システム、１００…ＣＰＵ、１０１…バス、１０２…入出力インターフェース、１０３…ＲＯＭ、１０４…ＲＡＭ、１０５…入力部、１０６…出力部、１０７…記憶部、１０８…通信部、１０９…リムーバブルメディア、１１０…ドライブ
【図１】
2020141256.tif 000003
【図２】
2020141256.tif 000004
【図３】
2020141256.tif 000005
【図４】
2020141256.tif 000006
【図５】
2020141256.tif 000007
【図６】
2020141256.tif 000008
【図７】
2020141256.tif 000009
【図８】
2020141256.tif 000010
【図９】
2020141256.tif 000011
【図１０】
2020141256.tif 000012
【図１１】
2020141256.tif 000013
【図１２】
2020141256.tif 000014